(57)【要約】      （修正有）【課題】構成が極めて簡単でありながら、釣針に大形の魚がかかった瞬間にのみ、弾性部材に抗してスイッチ手段がオンになり、魚に近い距離で高圧の電流が流れ、電気ショックを与える。【解決手段】道糸２の先端部に電源ケース３を取り付け、電源ケースを介して鉤素４を取り付け、鉤素の先端部に釣針５が取り付けられた釣具であり、電源ケース内には、電池電源６と、電池電源の一方のプラス電極に連結した変圧手段７と、変圧手段の出力端子７ａに一方の端子８ａを接続したスイッチ手段８と、スイッチ手段を常にオフ状態に離隔する方向に作用する弾性部材９とが内蔵され、鉤素は少なくとも１ｍの長さで絶縁被覆したワイヤーで形成し、ワイヤーの後端部をスイッチ手段の他方の端子８ｂに接続し、鉤素に設定以上の負荷が掛かった時にのみ弾性部材に抗してスイッチがオン状態になって鉤素に高圧電流を流す。【選択図】図１
2009261283.tif 000002
【特許請求の範囲】
【請求項１】
道糸の先端部に電源ケースを取り付け、該電源ケースを介して鉤素を取り付け、該鉤素の先端部に釣針が取り付けられた釣具であり、
前記電源ケース内には、電池電源と、該電池電源の一方のプラス電極に連結した変圧手段と、該変圧手段の出力端子に一方の端子を接続したスイッチ手段と、該スイッチ手段を常にオフ状態に離隔する方向に作用する弾性部材とが内蔵され、
前記鉤素は少なくとも１ｍの長さで絶縁被覆したワイヤーで形成し、該ワイヤーの後端部を前記スイッチ手段の他方の端子に接続し、
鉤素に設定以上の負荷が掛かった時にのみ前記弾性部材に抗して前記スイッチがオン状態になって鉤素に高圧電流を流す構成にしたこと
を特徴とする高電圧を流す釣り具。
【請求項２】
前記電源ケースは開閉可能で気密状態に維持できる構成にしたこと
を特徴とする請求項１に記載の高電圧を流す釣り具。
【請求項３】
前記弾性部材は、コイルバネ、板バネまたはゴム材であること
を特徴とする請求項１に記載の高電圧を流す釣り具。
【請求項４】
前記電源ケースを疑似餌とするかまたは疑似餌の中に電源ケースを仕込み、鉤素を短くして釣針を疑似餌の後端側に露出して位置させたこと
を特徴とする請求項１乃至３に記載の高電圧を流す釣り具。
【発明の詳細な説明】
【技術分野】
【０００１】
本発明は、主として漁師が業務用として使用するものであって、釣り針に一定以上の負荷が掛かった時に自動的に高電圧を流すようにし、魚に電気ショックを与えて失神または一時的に弱らせて釣り上げることができる高電圧を流す釣り具装置に関するものである。
【背景技術】
【０００２】
この種の釣り具装置に関しては、種々の構成のものが公知になっている。第１の公知例として、例えば、釣りざお(5)、及びリール(4)等から構成される一般的釣具、及び機械的に操作される自動釣具等を対象とした、導電性釣糸(1)、電気衝撃発生装置(2)、センサー(3)より構成され、釣りざおの所定位置に、加速時計、歪ゲージあるいは機械的なセンサーと、手動またはセンサー入力値が設定値を超えた時に自動的に作動する電気衝撃発生装置とを取り付け、リールに巻かれた電導性釣糸を介して釣針にかかった魚に電気を付与するという電気衝撃釣具装置が公知になっている（特許文献１）。
【０００３】
この釣具装置においては、魚が釣り針にかかった状態で適宜電流を釣り糸に流し、魚を感電させることにより魚の抵抗力を奪い、釣り上げを容易にし、魚を釣り逃がす確率が大幅に減少するとともに、腕力の弱い女性や子供、又は初心者でも、大魚、又は釣り上げにくい魚を容易に釣り上げることが可能となる。また、機械的釣具に適用すれば、釣りざおの軽量化が図れると共に、魚の漁獲率の大幅な向上につながると予想されるというものである。
【０００４】
第２の公知例として、例えば、垂れ下がる釣糸と、該釣糸の先端に取り付けられた釣針とで成る魚釣り具と共に使用する魚釣り用の感電衝撃付与装置であって、直流電源と、該直流電源からの出力を受けて感電衝撃用の一対の極性を持つ出力を発生する端子を有するスイッチングレギュレータと、該スイッチングレギュレータの第１の極性の出力端子に接続され、所定の長さにわたって延在する釣糸を構成して、釣糸の先端に取り付けられた導線性を有する釣針に該第１の極性の出力を給電する絶縁被覆された第１の導線と、該第１の導線の途中に該第１の導線と絶縁して取り付けられた電極と、該スイッチングレギュレータの第２極性の出力端子に接続され、該第１の導線と並んで釣竿の手元側から先端部まで延在し、該電極に該第２の極性の出力を給電する第２の導線と、該第１又は第２の出力端子の少なくとも一方に接続されたスイッチと、該スイッチが閉であり、該釣針と該電極間の電気抵抗が所定しきい値以下であるときは該スイッチングレギュレータを作動させてその出力端子を活性状態とし、該スイッチが開若しくは該釣針と該電極間の電気抵抗が所定のしきい値を超えたときは該スイッチングレギュレータを不動作としてその出力端子を不活性状態とする切り換え手段と、で構成された釣り用の感電衝撃付与装置が公知になっている（特許文献２）。
【０００５】
この感電衝撃付与装置は、海水中の電気抵抗が電極間距離が３００〜４００ｍｍのほぼ点状の電極間で１００Ωオーダーとなること、この抵抗値は電子回路を構成する上で設計や工作がし易い値であること、スイッチングレギュレータの動作しきい値を設定するようにしたこと、アースを用いない２本構造の給電方法を採用し、絶縁被覆をもつステンレス鋼線を導線を兼ねた釣糸とすること、従って、釣り上げられることに抵抗する大形魚を海中（あるいは一般に水中）から釣り上げる際にのみ感電衝撃を付与することができる人体に安全な、全天候形の装置を実現することができたもので、漁業の生産性向上に役立つことができるというものである。
【０００６】
第３の公知例として、例えば、釣糸の先端に釣針が取り付けられた魚釣具とともに使用する魚釣り用の感電衝撃付与装置であって、直流電源と、この直流電源からの出力を受けて感電衝撃用の第１の極性と第２の極性をもつ出力を発生する端子を有するスイッチングレギュレータと、このスイッチングレギュレータの第１の極性の出力端子に一端が接続され、前記第１の極性の出力を給電する絶縁低くされた第１の導線と、前記スイッチングレギュレータの第２の極性の出力端子に一端が接続され、前記第１の極性の出力を給電する絶縁された第２の導線と、前記第１の導線の他端を取り付けた第１の電極と、この第１の電極と絶縁して前記第２の導線の他端に取り付けられた第２の電極とからなり内部に前記釣糸が挿通される環状電極袋と、前記第１または第２の出力端子の少なくとも一方に接続されたスイッチと、このスイッチが閉であり、前記第１の電極と前記第２の電極間の電気抵抗が所定のしきい値以下であるときは前記スイッチングレギュレータを作動させて前記角出力端子を活性状態とし、前記スイッチが開もしくは前記第１の電極と前記第２の電極間の電気抵抗が所定のしきい値を超えたときは前記スイッチングレギュレータを不同さとしてその出力端子を不活性状態とする切換え手段と、で構成された魚釣り用の感電衝撃付与装置が公知になっている（特許文献３）。
【０００７】
この感電衝撃付与装置は、第１の電極と第２の電極とを環状電極体に形成したので、魚が釣糸に掛かったとき環状電極体の環内に釣糸を通すことにより魚に対して環状電極体を接触させることが容易に出来るので、捕獲した魚に対し感電衝撃を確実に付与できる。従って、釣り上げられることに抵抗する大形魚を海中から釣り上げる際にのみ感電衝撃を付与することができる人体に安全な、全天候形の装置を実現することができたもので、漁業の生産性向上に役立つことができるというものである。
【０００８】
【特許文献１】実開平０５−６８２７４号公報
【特許文献２】特開平０８−５６５３３号公報
【特許文献３】特開平１０−２４８４６５号公報
【発明の開示】
【発明が解決しようとする課題】
【０００９】
ところで、前記特許文献１に記載の電気衝撃釣具装置は、釣りざおの所定位置に、センサーと電気衝撃発生装置とを取り付け、センサー入力値が設定値を超えた時に自動的に電気衝撃発生装置が作動してリールに巻かれた電導性釣糸を介して釣針にかかった魚に電気を付与するというものであるが、例えば、導線性釣糸としてリールに巻けるような細い針金を使用した場合に、５０ｋｇを越えるような大形の魚がかかった時には、かかった瞬間は５０ｋｇを越える７０ｋｇ程度の衝撃が加わるのであり、魚がかかった瞬間に釣糸が切られてしまう虞があり、それを避けようとして剛性のある強い針金の釣糸を使用すると、実質的にリールでは巻き取れないという問題点があり、さらに、リールに巻いた導電性釣糸と電気衝撃発生装置とがどのように電気的に接続しているかも明らかにされていないのであり、単なる机上の理論だけで現実性に乏しいものである。
【００１０】
また、前記特許文献２に記載の感電付与装置は、釣竿の先端に取り付けられた釣糸部分は、ナイロンで絶縁被覆され先端部に釣針が取り付けられた第１の導線でその長さが３〜４ｍであり、その第１の導線の途中に絶縁状態で配設したコイル状の電極に繋げて第２の導線を釣竿の先端近傍に取り付けたものであり、これらの導線に電流を供給するスイッチングレギュレータは、釣竿の基部側に取り付けられているものであり、そのスイッチングレギュレータのオン・オフ作動は設定したしきい値によるものであって、釣針に魚がかかって第２の導線のコイル状の電極が水中に引き込まれたときに第１の導線の釣針と第２の
導線のコイル状電極とが導通することにより、設定されたしきい値になることで第１の導線に電流を流して魚に電気衝撃を与えるものであり、釣糸部分は常に略垂直状態で水中に没している必要があると共に、第２の導線のコイル状電極との間隔も制限があるので、例えば、釣糸の長さを２０ｍ以上にして船で牽引して１００ｋｇクラスの大形魚、つまり、大形のマグロを釣るような引き釣り漁には使用できないという問題点を有する。
【００１１】
さらに、前記特許文献３に記載の感電付与装置は、釣具とは別体の装置であって、第１の電極と第２の電極とを環状電極体に形成したものであり、例えば、引き釣り漁で大形のマグロを釣る場合などに使用することができるが、大形の魚が釣針にかかっても船の近くまで引き寄せてからでないと環状電極体に釣糸を通すことができないのであり、現実問題として、２００ｋｇを越えるような大形の魚は船の近くまで引き寄せるのに時間が掛かるし、その間に暴れて大きな負荷が掛かって糸が切られたりし、また、１００ｋｇクラスの魚でも食い込みが浅いと暴れて外れたりして逃がすことが多くなるのである。
【００１２】
従って、前記公知技術に係る電気衝撃を与える釣具装置は、実現性に乏しいものであること、また、釣糸の長さに制限があって釣りの仕方、つまり、漁の仕方に汎用性がないこと、さらに、釣具と別体に形成された感電付与装置は、掛かった大形の魚を船の近くまで引き寄せないと使用できないことに解決課題を有している。
【課題を解決するための手段】
【００１３】
本発明に係る高電圧を流す釣り具の発明は、道糸の先端部に電源ケースを取り付け、該電源ケースを介して鉤素を取り付け、該鉤素の先端部に釣針が取り付けられた釣具であり、前記電源ケース内には、電池電源と、該電池電源の一方のプラス電極に連結した変圧手段と、該変圧手段の出力端子に一方の端子を接続したスイッチ手段と、該スイッチ手段を常にオフ状態に離隔する方向に作用する弾性部材とが内蔵され、前記鉤素は少なくとも１ｍの長さで絶縁被覆したワイヤーで形成し、該ワイヤーの後端部を前記スイッチ手段の他方の端子に接続し、鉤素に設定以上の負荷が掛かった時にのみ前記弾性部材に抗して前記スイッチがオン状態になって鉤素に高圧電流を流す構成にしたことを特徴とするものである。
【００１４】
前記高電圧を流す釣り具に係る発明においては、前記電源ケースは開閉可能で気密状態に維持できる構成にしたこと；前記弾性部材は、コイルバネ、板バネまたはゴム材であること；前記電源ケースを疑似餌とするかまたは疑似餌の中に電源ケースを仕込み、鉤素を短くして釣針を疑似餌の後端側に露出して位置させたこと；を付加的な要件として含むものである。
【発明の効果】
【００１５】
本発明に係る高電圧を流す釣り具においては、道糸の先端部に電源ケースを介して鉤素を取り付けた構成であり、その電源ケースに電池電源と、変圧手段と、スイッチ手段と鉤素に一定以上の負荷が掛からないとスイッチ手段がオンにならないように構成しているので、構成が極めて簡単でありながら、釣針に大形の魚がかかった瞬間、２０ｋｇ以上の負荷が鉤素に掛かるので、弾性部材に抗してスイッチ手段がオンになり、鉤素を介してかかった魚に近い距離で高圧の電流が自動的に流れることにより、魚が確実に電気ショックを受けて失神状態になり、暴れなくなるので道糸を手繰り寄せて短時間で労力を費やすことなく簡単に魚を船の近くまで引き寄せることができ、素早く鈎を打って漁獲することができるという優れた効果を奏する。
【００１６】
また、電源ケースは開閉可能な構成であるので、内部の電池電源やスイッチ手段などの状態を何時でも何処でも点検することができるのであり、電池電源を充電式にすれば、不使用時には常に充電しておけば、魚がかかったときに電池切れによる不都合は解消されるのである。
【００１７】
さらに、本発明に係る高電圧を流す釣り具は、釣竿に取り付けて使用することもでき、弾性部材の圧縮強度を適宜選択することによって、例えば、５ｋｇ程度でスイッチ手段がオンするように設定することによって、力が弱い女性または子供でも大物釣りを楽しむことができるという優れた効果を奏する。
【発明を実施するための最良の形態】
【００１８】
次に、本発明を図示の具体的な実施の形態に基づいて詳しく説明する。図１は、第１の実施の形態に係る高電圧を流す釣り具の基本的な形態を示すものであり、図２は、第２の実施の形態に係る高電圧を流す釣り具を示すものであり、図３は、第３の実施の形態に係る高電圧を流す釣り具を示すものである。
【００１９】
まず、第１の実施の形態に係る高電圧を流す釣り具１は、図１に示したように、道糸２の先端部にストッパー部材２ａを介して金属または樹脂製の電源ケース３の一端部側に取り付け、該電源ケース３の他端部側に１〜３ｍ程度のワイヤーからなる鉤素４をストッパー部材４ａを介して取り付け、該鉤素４の先端部（自由端部側）に釣針５が取り付けられた釣具である。
【００２０】
前記電源ケース３内には、電池電源６と、該電池電源６の一方のプラス電極６ａに連結した変圧手段７と、該変圧手段７の出力端子７ａに一方の端子８ａを接続したスイッチ手段８と、該スイッチ手段８を常にオフ状態に離隔する方向に作用する、例えば、コイルバネからなる弾性部材９とが内蔵され、前記鉤素４は好ましくは絶縁被覆したワイヤーで形成し、該ワイヤーの後端部を前記スイッチ手段の他方の端子８ｂに接続し、前記鉤素４に所要の負荷が掛かった時にのみ前記弾性部材９に抗して前記スイッチ８がオン状態になって前記変圧手段７から鉤素８に高圧電流を流すように構成したものである。なお、スイッチ手段８を常にオフ状態に離隔する方向に作用する部材、つまり、弾性部材９として電子秤やコイル秤を使用することもできる。
【００２１】
前記電源ケース３は、水の抵抗を避けるために全体として上下に少し長い楕円形状に形成され、例えば、縦方向に二分割して開閉できるものであり、図示していないが、合体の端部部分には気密を保持するために所要のパッキンを介在してある。そして、合体させた電源ケース３の少なくとも、上下の２箇所でボルト１１、１２などによって一体的に締め付けて気密状態に合体させたものである。なお、電源ケース３を金属で形成した場合には、その内部全体にゴムなどの絶縁性材料を配設して、電池電源６などの電気系統が電源ケース３に接触しないように保護するものであり、好ましくは電源ケース３を成型可能な合成樹脂により形成した方が良い。
【００２２】
また、前記変圧手段７は、小型の変圧器などからなるものであり、例えば、電池電源６の３Ｖ程度の電圧を１００Ｖ〜１５０Ｖ程度の高電圧まで昇圧できるものである。前記弾性部材９としてコイルバネを使用した例を示したが、例えば、板バネまたはゴム材なども使用できるである。
【００２３】
更に、前記鉤素４には、スイッチ手段８を離隔する方向に維持するために、ストッパー部材４ａにフランジ部１３ａ付の逆帽子形ケース１３が一体または別体のものを介在させて配設され、該ケース１３のフランジ部１３ａに作用させてコイルバネの弾性部材９を配設することで、鉤素４をストッパー部材４ａと共にボルト１２側に押し上げてスイッチ手段８の離隔が維持される。
【００２４】
そして、コイルバネの圧縮強さを、例えば、２０ｋｇに設定すると、２０ｋｇ以上の負荷が掛かった時にのみ弾性部材９が縮径して前記スイッチ手段８の一方の端子８ａと他方の端子８ｂとが接触してオン状態になり、前記変圧手段７から昇圧した高電圧電流を鉤素４に連続的または断続的に印加するようにしたものである。なお、道糸２と鉤素４とが電源ケース３に連結している部分には、更に、気密を保持するため余分にパッキン１４、１５を取り付けても良い。
【００２５】
次に、本発明の第２の実施の形態について、図２を参照して説明する。なお、前記第１の実施の形態と同一部分には同一符号を付してその詳細な説明は重複するので省略する。  この第２の実施の形態に係る高電圧を流す釣り具１は、図２に示したように、道糸２の先端部にストッパー部材２ａを介して金属または樹脂製の電源ケース３の一端部側に取り付け、該電源ケース３の他端部側に１〜３ｍ程度のワイヤーからなる鉤素４をストッパー部材４ａを介して取り付け、該鉤素４の先端部（自由端部側）に釣針５が取り付けられた釣具である。
【００２６】
そして、前記第１の実施の形態の高電圧を流す釣り具と同様に、前記電源ケース３内には、電池電源６と、該電池電源６の一方のプラス電極６ａに連結した変圧手段７と、該変圧手段７の出力端子７ａに一方の端子８ａを接続したスイッチ手段８と、該スイッチ手段８を常にオフ状態に離隔する方向に作用する弾性部材９とが内蔵され、前記鉤素４は好ましくは絶縁被覆したワイヤーで形成し、該ワイヤーの後端部を前記スイッチ手段の他方の端子８ｂに接続し、前記鉤素４に所要の負荷が掛かった時にのみ前記弾性部材９に抗して前記スイッチ８がオン状態になって前記変圧手段７から鉤素８に高圧電流を流すように構成したものである。
【００２７】
この第２の実施の形態の高電圧を流す釣り具１は、前記電池ケース３内に内蔵した電池電源６と変圧手段７とを保護するために、その周囲全体をゴムなどで形成した保護部材１６で包み込むこと、および弾性部材９として比較的圧縮強度の強いゴム材を使用したことの点において前記第１の実施の形態と異なるものである。
【００２８】
このように電池電源６と変圧手段７とを保護部材１４で包み込むことで、仮に、電池ケース３の合体強度が不足していたり、または、漁業中に２００ｋｇを越える大物の魚がかかって瞬間的に強い引きがあって、電池ケース３に水漏れが生じた場合でも、電池電源６と変圧手段７とが水漏れした海水から保護されるのである。なお、図示していないが電池ケース３が破壊された場合のことを考慮して、道糸２と鉤素４とは別の強力な糸で連結されており、電池ケース３が壊れても掛かった魚は逃がさないのである。
【００２９】
また、弾性部材９として比較的圧縮強度の強いゴム材を使用した場合に、該ゴム材の圧縮強度の異なるものを使用すれば、例えば、鉤素４に掛かる負荷を５〜２０ｋｇの範囲でも調整することができるし、電池ケース３における一種のパッキング材としても機能するものである。勿論、前記第１の実施の形態に係るコイルバネでも同様である。
【００３０】
更に、本発明の第３の実施の形態について、図３を参照して説明する。なお、前記第１の実施の形態と同一部分には同一符号を付してその詳細な説明は重複するので省略する。  この第３の実施の形態に係る高電圧を流す釣り具１は、図３に示したように、適宜の疑似餌２０を電池ケースとするかまたはその内部に電源ケース３を仕込むようにしたものであり、道糸２の先端部にストッパー部材２ａを介して金属または樹脂製の疑似餌２０の一端部側（先端部側）に取り付け、該疑似餌２０の他端部側に所要長さのワイヤーからなる鉤素４をストッパー部材４ａを介して取り付け、該鉤素４の自由端部側に釣針５が取り付けられ、該釣針５が疑似餌２０の後端部側に露出して位置させた釣具である。
【００３１】
この場合の疑似餌２０内には、前記第１の実施の形態の高電圧を流す釣り具と同様に、電池電源６と、該電池電源６の一方のプラス電極６ａに連結した変圧手段７と、該変圧手段７の出力端子７ａに一方の端子８ａを接続したスイッチ手段８と、該スイッチ手段８を常にオフ状態に離隔する方向に作用する弾性部材９とが内蔵され、前記鉤素４はワイヤーで形成し、該ワイヤーの疑似餌２０内の端部を前記スイッチ手段の他方の端子８ｂに接続し、前記鉤素４に所要の負荷が掛かった時にのみ前記弾性部材９に抗して前記スイッチ８がオン状態になって前記変圧手段７から鉤素８に高圧電流を流すように構成したものである。なお、疑似餌２０の内部に電池ケース３を組み込んだ場合でも、電池電源６、へ夏手段７、スイッチ手段８、弾性部材９，鉤素４等の構成は実質的に同じである。
【００３２】
疑似餌２０として、図示の実施例では、魚（鰯、秋刀魚、飛び魚、イナダ等）を用いた例であるが、その他に、例えば、烏賊なども使用することができる。そして、鉤素４は、短くして、魚の尾側に一部を露出させて設けてあれば良いのである。
【００３３】
なお、この第３の実施の形態の高電圧を流す釣り具１は、前記疑似餌２０内に内蔵した電池電源６と変圧手段７とを保護するために、その周囲全体をゴムなどで形成した保護部材１６で包み込むこと、および弾性部材９として比較的圧縮強度の強いゴム材を使用したりすることは、前記第２の実施の形態と実質的に同様の構成にしても良い。
【産業上の利用可能性】
【００３４】
いずれにしても本発明に係る高電圧を流す釣り具は、道糸と鉤素の間に、釣針にかかった魚の強い引きがあったときに、自動的に高圧の電流を流して電気ショックを与える手段を設けたものであり、例えば、１００ｋｇを超えるようなマグロ釣りの漁具として使用すれば、釣針にマグロが掛かった瞬間に少なくとも２０ｋｇを超える荷重が鉤素に掛かるのであり、それによってマグロに電気ショックを与えて失神状態にし暴れるのを防ぐことで簡単に釣り上げることができるのである。従って、大形の魚漁において有効に利用できるのであり、その他に釣竿を利用した漁法または延縄漁業などにも広い範囲で利用することができるのである。
【図面の簡単な説明】
【００３５】
【図１】本発明に係る第１の実施の形態に係る高電圧を流す釣り具を略示的に示した要部の断面図である。
【図２】本発明に係る第２の実施の形態に係る高電圧を流す釣り具を略示的に示した要部の断面図である。
【図３】本発明に係る第３の実施の形態に係る高電圧を流す釣り具を略示的に示した要部の説明図である。
【符号の説明】
【００３６】
１  高電圧を流す釣り具
２  道糸
２ａ、４ａ  ストッパー部材
３  電源ケース
４  鉤素
５  釣針
６  電池電源
６ａ  プラス電極
７  変圧手段
７ａ  出力端子
８  スイッチ手段
８ａ  一方の端子
８ｂ  他方の端子
９  弾性部材
１１、１２  ボルト  
１３  逆帽子形のケース
１４，１５  パッキン
１６  保護部材
２０  疑似餌
【図１】
2009261283.tif 000003
【図２】
2009261283.tif 000004
【図３】
2009261283.tif 000005